(57)【要約】【課題】放送コンテンツの継続した視聴を他の装置において容易に適切な視聴位置より視聴を可能とする。【解決手段】放送受信部２００は、放送信号を受信して放送コンテンツを取得する。記録部２１０は、放送受信部２００によって取得した放送コンテンツを記録する。コンテンツ再生部２２０は、記録部２１０に記録された放送コンテンツの再生を行う。停止操作部２３０は、コンテンツ再生部２２０において再生されている放送コンテンツを途中停止させる。分割コンテンツ生成部２４０は、停止操作部２３０によって再生途中で停止した放送コンテンツの停止位置以降のデータからなる分割コンテンツを生成する。転送部２５０は、分割コンテンツ生成部２４０によって生成された分割コンテンツを他の再生装置に転送する。【選択図】図２
2013123082.tif 000002
【特許請求の範囲】
【請求項１】
放送信号を受信して放送コンテンツを取得する放送受信部、
前記放送受信部によって取得した前記放送コンテンツを記録する記録部、
前記記録部に記録された前記放送コンテンツの再生を行うコンテンツ再生部、
前記コンテンツ再生部において再生されている前記放送コンテンツを途中停止させる停止操作部、
前記停止操作部によって再生途中で停止した前記放送コンテンツの停止位置以降のデータからなる分割コンテンツを生成する分割コンテンツ生成部、
前記分割コンテンツ生成部によって生成された前記分割コンテンツを他の再生装置に転送する転送部、
を備えることを特徴とする、放送コンテンツ再生装置。
【請求項２】
前記分割コンテンツ生成部は、前記転送部における他の再生装置へのコンテンツの転送要求を受け付けたときに、前記分割コンテンツを生成することを特徴とする、
請求項１に記載の放送コンテンツ再生装置。
【請求項３】
前記分割コンテンツ生成部は、前記停止操作部による前記放送コンテンツの途中停止を受け付けた場合に、前記分割コンテンツを生成することを特徴とする、
請求項１に記載の放送コンテンツ再生装置。
【請求項４】
前記分割コンテンツ生成部は、前記転送部における転送履歴に基づいて前記分割コンテンツを生成する時刻を設定し、前記設定した時刻より前記分割コンテンツを生成することを特徴とする、
請求項１に記載の放送コンテンツ再生装置。
【請求項５】
放送信号を受信して放送コンテンツを取得する放送受信部、
前記放送受信部によって取得した前記放送コンテンツを記録する第一の記録部、
前記記憶部に記録された前記放送コンテンツの再生を行う第一のコンテンツ再生部、
前記第一のコンテンツ再生部において再生されている前記放送コンテンツを途中停止させる停止操作部、
前記停止操作部によって再生途中で停止した前記放送コンテンツの停止位置以降のデータからなる分割コンテンツを生成する分割コンテンツ生成部、
前記分割コンテンツ生成部によって生成された前記分割コンテンツを他の再生装置に転送する転送部、
を備える放送コンテンツ再生装置と、
前記転送部から前記分割コンテンツを受信する受信部、
前記受信部によって受信した前記分割コンテンツを記録する第二の記録部、
前記第二の記録部において記録した前記分割コンテンツの再生を行う第二のコンテンツ再生部、
を備える携帯端末、
とから構成されることを特徴とする放送コンテンツ再生システム
【請求項６】
受信した放送信号に基づき記録した放送コンテンツの再生を行うコンテンツ再生ステップ、
前記コンテンツ再生ステップにおいて再生されている前記放送コンテンツを途中停止させる停止操作ステップ、
前記停止操作ステップにおいて再生途中で停止した前記放送コンテンツの停止位置以降のデータからなる分割コンテンツを生成する分割コンテンツ生成ステップ、
前記分割コンテンツ生成ステップにおいて生成された前記分割コンテンツを他の再生装置に転送する転送ステップ、
を備えることを特徴とする、放送コンテンツ再生方法。
【請求項７】
放送コンテンツ再生装置が備えるコンピュータを、
受信した放送信号に基づき記録した放送コンテンツの再生を行うコンテンツ再生ステップ、
前記コンテンツ再生ステップにおいて再生されている前記放送コンテンツを途中停止させる停止操作ステップ、
前記停止操作ステップにおいて再生途中で停止した前記放送コンテンツの停止位置以降のデータからなる分割コンテンツを生成する分割コンテンツ生成ステップ、
前記分割コンテンツ生成ステップにおいて生成された前記分割コンテンツを他の再生装置に転送する転送ステップ、
として動作させることを特徴とする、放送コンテンツ再生プログラム。
【発明の詳細な説明】
【技術分野】
【０００１】
本発明は、放送コンテンツの継続した視聴を他の装置において容易に適切な視聴位置より視聴を可能とする、放送コンテンツ再生装置、放送コンテンツ再生システム、放送コンテンツ再生方法、放送コンテンツ再生プログラムに関する。
【背景技術】
【０００２】
近年、放送コンテンツを記録するＨＤＤ（Hard Disk Drive）レコーダ等の記録装置で記録した放送コンテンツを、携帯型の端末に転送して視聴するシステムが普及している。
【先行技術文献】
【特許文献】
【０００３】
【特許文献１】特開２００５−１５９４３９号公報
【発明の概要】
【発明が解決しようとする課題】
【０００４】
特許文献１には、据置き録再装置および携帯再生装置との双方で再生可能なコンテンツに対する視聴情報を共有し、携帯再生装置においても据置き録再装置における視聴途中の位置から再生を行うことができる録画再生装置が開示されている。
【０００５】
上述したような装置においては、据置き録再装置および携帯再生装置の双方に同一のコンテンツを記録させておく必要がある。このため、据置き録再装置より一般的に記録容量の少ない携帯再生装置においても、据置き録再装置と同様にコンテンツの全てを記録させておく必要がある。
【０００６】
さらに、各々の装置において視聴情報を共有させる必要があるため、各々の装置において共通の視聴情報を認識できる装置である必要もある。
【０００７】
本発明はこのような問題点に鑑みなされたものであり、放送コンテンツの継続した視聴を他の装置において容易に適切な視聴位置より視聴を可能とする、放送コンテンツ再生装置、放送コンテンツ再生システム、放送コンテンツ再生方法、放送コンテンツ再生プログラムを提供することを目的とする。
【課題を解決するための手段】
【０００８】
上記目的を達成するために、本発明に係る放送コンテンツ再生装置（１０）は、  放送信号を受信して放送コンテンツを取得する放送受信部（２００）、前記放送受信部（２００）によって取得した前記放送コンテンツを記録する記録部（２１０）、  前記記録部（２１０）に記録された前記放送コンテンツの再生を行うコンテンツ再生部（２２０）、前記コンテンツ再生部（２２０）において再生されている前記放送コンテンツを途中停止させる停止操作部（２３０）、前記停止操作部（２３０）によって再生途中で停止した前記放送コンテンツの停止位置以降のデータからなる分割コンテンツを生成する分割コンテンツ生成部（２４０）、前記分割コンテンツ生成部（２４０）、によって生成された前記分割コンテンツを他の再生装置に転送する転送部（２５０）、を備えることを特徴とする。
【発明の効果】
【０００９】
本発明によれば、放送コンテンツの継続した視聴を他の装置において容易に適切な視聴位置からの視聴を可能とする。
【図面の簡単な説明】
【００１０】
【図１】本発明の実施例に係る放送コンテンツ再生装置の構成ブロック図である。
【図２】本発明の実施例に係る放送コンテンツ再生装置の機能ブロック図である。
【図３】本発明の実施例に係る放送コンテンツ再生システムの構成例を示した図である。
【図４】本発明の実施例に係る携帯端末の機能ブロック図である。
【図５】本発明における第１の実施例に係る放送コンテンツ再生装置の動作を表したフローチャートである。
【図６】本発明における第１の実施例に係る放送コンテンツ再生装置の動作を表したフローチャートである。
【図７】本発明における第１の実施例に係る放送コンテンツ再生装置の動作を表したフローチャートである。
【図８】本発明における第１の実施例に係る放送コンテンツ再生装置の動作を表したフローチャートである。
【図９】本発明における第２の実施例に係る放送コンテンツ再生装置の動作を表したフローチャートである。
【図１０】本発明における第２の実施例に係る放送コンテンツ再生装置の動作を表したフローチャートである。
【図１１】本発明における第３の実施例に係る放送コンテンツ再生装置の動作を表したフローチャートである。
【図１２】本発明における第３の実施例に係る放送コンテンツ再生装置の動作を表したフローチャートである。
【図１３】本発明における第３の実施例に係る放送コンテンツ再生装置による分割コンテンツ生成可能時間帯の例を示した図。
【図１４】本発明における第３の実施例に係る放送コンテンツ再生装置の動作を表したフローチャートである。
【発明を実施するための形態】
【００１１】
以下、本発明の実施例における放送コンテンツ再生装置１０について、図１および図２を参照して説明する。図１は、放送コンテンツ再生装置１０の構成ブロック図の例であり、図２は、放送コンテンツ再生装置１０の機能ブロック図の例である。
【００１２】
放送コンテンツ再生装置１０の例としては、例えばＴＶ放送を受信して記録するＨＤＤ（Hard Disk Drive）レコーダや、ＰＣ（Personal Computer）等の各種装置である。また、放送コンテンツ再生装置１０は、据置き型の装置に限らず、携帯可能な装置や車載装置であってもよい。
【００１３】
放送コンテンツ再生装置１０は、制御部１００、チューナ部１１０、復調部１２０、通信部１３０、操作部１４０、信号処理部１５０、入出力部１６０、記憶部１８０等を備える。
【００１４】
制御部１００は、放送コンテンツ再生装置１０の各部の制御やコンテンツデータを含む各種データの処理を行う。
【００１５】
制御部１００は、例えば、演算や処理を行うためのＣＰＵ（Central Processing Unit）などの各種演算プロセッサに加えて、データやプログラムの一時記憶領域や実行領域となる図示しないＲＡＭ（Random Access Memory）およびＲＯＭ（Read Only Memory）等を備えて構成される。
【００１６】
制御部１００を構成するＣＰＵは、放送コンテンツ再生装置１０を構成する各部からの操作信号やデータに基づき、ＲＯＭに記憶された各種プログラムをＲＡＭ上で実行することにより各部の制御やデータ処理を行う。
【００１７】
制御部１００は、後述するチューナ部および復調部１２０を用いた、放送受信制御、後述する通信部１３０を用いた通信制御、後述する操作部１４０からの入力に応じた操作制御、後述する信号処理部１５０を用いた信号処理制御、後述する入出力部１６０を用いたデータの入出力制御、後述する記憶部１８０を用いた各種データの再生または記憶に加えてデータの分割やフラグ付与の制御、さらには、図示しない表示部にコンテンツデータや画像、ＧＵＩ等を表示させるための表示制御を行う。
【００１８】
チューナ部１１０は、放送波を受信するためのチューナであり、例えば地上デジタルＴＶチューナ、ＢＳ／ＣＳデジタルＴＶチューナ、アナログラジオチューナ、デジタルラジオチューナ等である。また、チューナ部１１０は放送波の受信以外に、ネットワークを介して放送コンテンツを受信する構成であってもよい。
【００１９】
チューナ部１１０は、ユーザの操作によって指示された放送局の周波数帯域を制御部１００の制御によって同調させる。チューナ部１１０は、接続された図示しないアンテナにより受信したＲＦ（Radio Frequency）信号をＩＦ（Intermediate Frequency）信号に変換し、復調部１２０に送出する。
【００２０】
復調部１２０は、チューナ部１１０から送出されたＩＦ信号を復調し、音声信号や映像信号として制御部１００へ送出する。復調部１２０は、チューナ部１１０により受信する放送がデジタル放送である場合は、復調したデジタル信号に対して誤り訂正処理やデコード処理等を行い、制御部１００へ送出する。
【００２１】
通信部１３０は、外部の各種装置と直接またはネットワーク等を介した通信等によりコンテンツデータを含む各種情報の授受を行う。通信部１３０は、例えばＢｌｕｔｏｏｔｈ規格の通信や、ＴｒａｎｓｆｅｒＪｅｔによる通信、有線または無線ＬＡＮ（Local Area Network）によるネットワーク接続等を行う。
【００２２】
また、通信部１３０は、後述する入出力部１６０として機能するＨＤＭＩ（High-Definition Multimedia Interface：登録商標）端子やＵＳＢ（Universal Serial Bus）端子を介して、他の装置との各種情報の授受を行ってもよい。
【００２３】
操作部１４０は、放送コンテンツ再生装置１０に対するユーザからの操作指示を受け付け、受け付けた操作指示信号を制御部１００に送出する。操作部１４０の具体例としては、放送コンテンツ再生装置１０に備えられた機構的スイッチやタッチセンサ、図示しない表示部に重ねて備えられたタッチパネル、または放送コンテンツ再生装置１０を有線または無線による通信によって操作する図示しないリモコン装置等である。
【００２４】
操作部１４０は、各種コンテンツに対する、コンテンツの選択、再生開始および停止、記録開始および停止、早送り、早戻し等の操作に加えて、ＧＵＩによる操作など、放送コンテンツ再生装置１０を動作させる各種操作の入力を受け付ける。
【００２５】
信号処理部１５０は、後述する入出力部１６０から入力されるコンテンツデータ等の各種データの処理を行い制御部１００に送出するとともに、制御部１００より送出されるコンテンツデータ等の各種データの処理を行い後述する入出力部１６０に送出する。
【００２６】
信号処理部１５０は、各種データのデコードやエンコード等を含む各種演算処理を行うＤＳＰ（Digital Signal Processor）等の演算用プロセッサによって構成される。
【００２７】
入出力部１６０は、放送コンテンツ再生装置１０にコンテンツデータを含む各種データの入力または出力を行うインターフェースであり、具体的にはＵＳＢ端子やＨＤＭＩ端子、メモリカードスロットなどである。入出力部１６０は、アナログデータの入出力端子であってもよい。入出力部１６０によって入力された各種データは、必要に応じて制御部１００によって図示しない表示部へ表示するための処理や、後述する記憶部１８０への記憶が実行される。
【００２８】
入出力部１６０は、出力対象となるデジタルデータをアナログデータに変換するＤＡＣ（Digital Analog Converter）、入力されたアナログデータをデジタルデータに変換するＡＤＣ（Analog Digital Converter）、出力対象となるデータや入力されたデータを増幅する増幅部を包含してもよい。
【００２９】
記憶部１８０は、コンテンツデータを含む各種データを記憶し、制御部１００によって記憶処理や読み出し処理が行われる。記憶部１８０は、例えばＨＤＤ（Hard Disk Drive）やフラッシュメモリより構成される。また、記憶部１８０は放送コンテンツ再生装置１０に内蔵されるものに限らず、入出力部１６０として機能する所定のインターフェースや所定の接続端子に接続される外部の記憶デバイスであってもよい。外部の記憶デバイスの一例としては、ＵＳＢ端子に接続されるＵＳＢメモリや外部ＨＤＤ装置、所定のメモリカードスロットにより接続されるメモリカードなどである。
【００３０】
次に、図２を用いて、放送コンテンツ再生装置１０の機能ブロック図について説明する。放送コンテンツ再生装置１０は、図１によって説明した各構成要素により、放送受信部２００、記録部２１０、コンテンツ再生部２２０、停止操作部２３０、分割コンテンツ生成部２４０、転送部２５０を備える。
【００３１】
放送受信部２００は、主にチューナ部１１０、復調部１２０および制御部１００によって構成され、各種放送を受信して放送コンテンツを取得する。
【００３２】
記録部２１０（第一の記録部）は、主に記憶部１８０と制御部１００によって構成され、例えば放送受信部２００が取得した放送コンテンツの記録を行う。
【００３３】
コンテンツ再生部２２０（第一のコンテンツ再生部）は、主に記憶部１８０と制御部１００によって構成され、例えば記録部２１０によって記録された放送コンテンツの再生を行う。
【００３４】
停止操作部２３０は、主に操作部１４０と制御部１００によって構成され、例えばコンテンツ再生部２２０によって再生されている放送コンテンツの再生中に停止処理を行う。また、停止操作部２３０は、停止処理が行われた放送コンテンツの停止位置に、停止したことを示す停止フラグを付与する。停止フラグは、放送コンテンツに付与する他に、独立したデータとして停止情報を記憶してもよい。
【００３５】
分割コンテンツ生成部２４０は、主に記憶部１８０と制御部１００によって構成され、再生されている放送コンテンツが停止操作部２３０によって途中停止された場合に、停止位置以降のデータからなる分割コンテンツを生成する。
【００３６】
分割コンテンツ生成部２４０において、分割コンテンツを生成するタイミングは様々なタイミングが考えられる。一例としては、コンテンツの転送要求を受け付けたときや、放送コンテンツの再生中における停止操作部３２０による停止操作を受け付けた後などである。さらには、転送要求のあった履歴に基づき転送要求の少ない時間帯に分割コンテンツを生成してもよい。
【００３７】
転送部２５０は、主に通信部１３０と制御部１００によって構成され、分割コンテンツ生成部２４０が生成した分割コンテンツを、通信部１３０を介して、例えば携帯端末３０など他の再生装置に転送する。
【００３８】
転送部２５０は、通信部１３０を用いなくとも、入出力部１６０を用いることによっても実現できる。例えば、入出力部１６０としてのＨＤＭＩ端子やＵＳＢ端子等による他の再生装置との接続により分割コンテンツを転送することも可能である。さらには、入出力部１６０としてのメモリカードスロットやＵＳＢ端子等によるメモリカードやＵＳＢメモリ等の可搬型メモリを介して分割コンテンツを他の再生装置に転送することも可能である。
【００３９】
次に、本発明の実施例における放送コンテンツ再生システム４０の構成例を図3に基づき説明する。放送コンテンツ再生システム４０は、上述した放送コンテンツ再生装置１０と、任意の携帯端末１０により構成される。
【００４０】
携帯端末１０の例としては、例えばスマートフォン等の携帯電話装置、携帯型ナビゲーション装置、携帯型メディア装置、タブレット型等のＰＣなどであり、放送コンテンツ再生装置１０で記録された放送コンテンツを記憶し、再生できる装置であればどのようなものであってもよい。
【００４１】
図４を用いて、携帯端末３０について説明する。図４は、携帯端末３０の機能ブロック図であり、携帯端末３０が備える最小限の機能である。
【００４２】
携帯端末３０は、受信部３００、記録部（第二の記録部）３１０、コンテンツ再生部（第二のコンテンツ再生部）３２０を備える。
【００４３】
受信部３００は、携帯端末３０における図示しない制御部の制御によって、放送コンテンツ再生装置１０における転送部２５０により転送される放送コンテンツを受信する。受信部３００は、転送部２５０を構成する通信部１３０と通信可能な各種通信デバイス、所定のインターフェース等である。
【００４４】
記録部３１０は、携帯端末３０における図示しない制御部の制御によって、放送コンテンツ再生装置１０から転送された放送コンテンツを記憶可能な各種記憶デバイスである。
【００４５】
コンテンツ再生部３２０は、携帯端末３０における図示しない制御部の制御によって、記録部３２０に記憶された放送コンテンツの再生を行う。
【００４６】
次に、本発明の第１の実施例として、放送コンテンツ再生装置１０の動作を、図５から図８を用いて説明する。
【００４７】
図５は、放送コンテンツ再生装置１０において記録した放送コンテンツに途中停止フラグを付与する際のフローチャートである。
【００４８】
先ず、制御部１００は記録部２１０に記録されている放送コンテンツがコンテンツ再生部２２０によって再生が開始されたか否かを判断する（ステップＳ１００）。ステップＳ１００の判断は、操作部１４０の操作によって、放送コンテンツが選択され、再生開始されることによって判断される。
【００４９】
ステップＳ１００において再生が開始されていないと判断された場合は（ステップＳ１００：Ｎｏ）、ステップＳ１００の処理を再度繰り返す。ステップＳ１００において、再生が開始されたと判断された場合は（ステップＳ１００：Ｙｅｓ）、制御部１００は、コンテンツ再生ステップとして再生されている放送コンテンツに対して途中停止処理が受け付けられたか否かを判断する（ステップＳ１０１）。この判断は、放送コンテンツの再生中に操作部において一時停止操作がなされたこと、つまり停止操作部２３０が動作することにより判断される。
【００５０】
ステップＳ１０１において、途中停止処理が受け付けられたと判断された場合（ステップＳ１０１：Ｙｅｓ）、コンテンツ再生部２２０は、放送コンテンツにおける停止操作ステップとして途中停止処理が受け付けられた位置に、途中停止フラグを付与する（ステップＳ１０２）。途中停止フラグが付与されることにより、付与されている放送コンテンツは、再生中に途中停止された放送コンテンツであることと、途中停止の位置が判別可能となる。
【００５１】
ステップＳ１０２において、途中停止フラグが付与された場合は、本処理を終了する。ここで付与された途中停止フラグによって、放送コンテンツが途中までしか再生されていない、未視聴区間のある放送コンテンツであることが判断できる。
【００５２】
ステップＳ１０１において、途中停止処理を受付けていないと判断された場合は（ステップＳ１０１：Ｎｏ）、制御部１００は再生している放送コンテンツの再生位置が終了位置であるか否かを判断する（ステップＳ１０３）。
【００５３】
ステップＳ１０３において、再生している放送コンテンツの再生位置が終了位置ではないと判断された場合は（ステップＳ１０３：Ｎｏ）、ステップＳ１０１の処理を再度行う。ステップＳ１０３において、再生している放送コンテンツの再生位置が終了位置であると判断された場合は（ステップＳ１０３：Ｙｅｓ）、再生している放送コンテンツの再生は終了した状態であり、放送コンテンツは全て再生されているため、本処理を終了する。
【００５４】
ステップＳ１０３の処理は、放送コンテンツの終了位置に完全に一致していなくともよい。例えば、３０分や６０分またはそれ以上の長さである放送コンテンツである場合、残時間が例えば５分以内であればステップＳ１０３において終了位置であると判断させてもよい。
【００５５】
図６は、放送コンテンツ再生装置１０において、途中停止フラグが付与されている放送コンテンツに対して、分割コンテンツを生成する際のフローチャートである。
【００５６】
先ず、制御部１００は記憶部１８０に記録されている放送コンテンツに対して、携帯端末３０への転送要求があるか否かを判断する（ステップＳ１２０）。ステップＳ１２０における処理は、特定の放送コンテンツに対する転送要求であってもよく、記憶部１８０に記録されている転送対象となりうる包括的な転送要求であってもよい。
【００５７】
また、ステップＳ１２０の判断は、操作部１４０が操作されることによって、放送コンテンツの転送を行うメニューが起動された場合や、転送部２５０において携帯端末３０が接続状態となることによって放送コンテンツの転送が可能となった場合などである。
【００５８】
ステップＳ１２０において、転送要求がないと判断された場合は（ステップＳ１２０：Ｎｏ）、ステップＳ１２０の処理を再度実行する。ステップＳ１２０において、転送要求があったと判断された場合は（ステップＳ１２０：Ｙｅｓ）、制御部１００は転送対象の放送コンテンツを特定する（ステップＳ１２１）。
【００５９】
ステップＳ１２１における転送対象の放送コンテンツの特定とは、ステップＳ１２０において転送対象の放送コンテンツが特定されている場合は、その放送コンテンツを特定する。ステップＳ１２０において特定の放送コンテンツが転送対象として特定されていない場合は、未視聴の放送コンテンツまたは未視聴区間のある放送コンテンツを、転送対象の放送コンテンツとして特定する。
【００６０】
また、ステップＳ１２１における転送対象の放送コンテンツの特定は、上記における未視聴の放送コンテンツまたは未視聴区間のある放送コンテンツにおいて、例えば直近に記録された放送コンテンツや、特定曜日に記録された放送コンテンツ、予め転送対象として設定した放送コンテンツなど、各種条件を付加してもよい。
【００６１】
ステップＳ１２１において、転送対象の放送コンテンツが特定された後、制御部１００は、転送対象の放送コンテンツに途中停止フラグが付与されているか否かを判断する（ステップＳ１２２）。
【００６２】
ステップＳ１２２において、途中停止フラグが付与されていないと判断された場合（ステップＳ１２２：Ｎｏ）、その放送コンテンツは未視聴の放送コンテンツであるため、転送部２５０によって携帯端末３０へ放送コンテンツを転送し（ステップＳ１２５）、本処理を終了する。この処理によって、携帯端末３０において未視聴の放送コンテンツを最初から視聴することができる。
【００６３】
ステップＳ１２２において、途中停止フラグが付与されていると判断された場合（ステップＳ１２２：Ｙｅｓ）、分割コンテンツ生成部２４０は、途中停止フラグが付与されている放送コンテンツを元に分割コンテンツ生成ステップとして分割コンテンツを生成する（ステップＳ１２３）。ステップＳ１２３の処理は後述する。
【００６４】
ステップＳ１２３において分割コンテンツが生成された後、転送部２５０による転送ステップとして分割コンテンツは携帯端末３０へ転送され（ステップＳ１２４）、本処理を終了する。
【００６５】
次に、図７から図８において、上記ステップＳ１２３における分割コンテンツ生成フローの例について説明する。
【００６６】
分割コンテンツ生成部２４０は、先ずステップＳ１２２において途中停止フラグが付与されていると判断されている放送コンテンツに対して、途中停止フラグの位置を検出する（ステップＳ１５０）。次に分割コンテンツ生成部２４０は、検出した途中停止フラグの付与位置において、チャプター分割処理を行う（ステップＳ１５１）。ステップＳ１５１におけるチャプター分割処理によって、放送コンテンツは、視聴済のデータと未視聴のデータとに分割される。
【００６７】
ステップＳ１５１において、チャプター分割された放送コンテンツに対して、分割コンテンツ生成部２４０は、視聴済のデータである途中停止フラグより前のデータを消去する（ステップＳ１５２）。ステップＳ１５２の処理によって、放送コンテンツとして途中停止フラグ以降の未視聴のデータのみが残ることとなる。
【００６８】
次に、分割コンテンツ生成部２４０は、ステップＳ１５２において消去されていない残りの放送コンテンツを上書き保存する（ステップＳ１５３）。ステップＳ１５３の処理によって、分割コンテンツとしての放送コンテンツが生成される前と同一の名称で、未視聴のデータのみとなる分割コンテンツが生成される。
【００６９】
図８は、分割コンテンツ生成の他の手法によるフロー図であり、図７と同一の処理については、同一符号を付し説明を省略する。
【００７０】
図８において、図７と同一処理であるステップＳ１５０による途中停止フラグの検出後、分割コンテンツ生成部２４０は、放送コンテンツにおける途中停止フラグ以降のデータをコピーして、コピーしたデータに対してファイル名を変更して保存する（ステップＳ１５４）。ステップＳ１５４においてコピーしたデータの保存先は任意である。
【００７１】
ステップＳ１５４において、コピーした放送コンテンツに付与するファイル名は、元のファイル名に準じるとともに、分割コンテンツであることが判断できる名称であることが好ましい。例えば、元のファイル名が、番組名＋放送日時情報からなるファイル名である場合、分割コンテンツのファイル名を、番組名＋放送日時情報＋分割を表す語句とするなどである。
【００７２】
図７および図８に示した分割コンテンツ生成フローは一例であり、携帯端末３０に転送するための分割コンテンツを途中停止フラグ以降のデータとする手法であれば、他の処理や、図７や図８の処理を任意に変更してもよい。
【００７３】
これらのような処理を行うことで、放送コンテンツ再生装置１０における視聴途中の放送コンテンツが携帯端末３０に転送される場合、ユーザが視聴を停止した途中停止位置以降のデータのみが分割コンテンツとして転送される。このため、放送コンテンツ再生装置１０と携帯端末３０との間においては、共通の停止情報などを共有する必要がない。したがって、停止情報を共有するための処理を不要とするため、携帯端末３０のメーカや機種またはアプリケーションに依存することなく、的確に途中停止位置からの視聴を可能とする。
【００７４】
さらに、分割コンテンツは元の放送コンテンツを分割したものであるため、元の放送コンテンツよりはファイルサイズが小さい。このため、転送時間を短くでき、携帯端末３０の記録部３１０に余裕を持たせることができる。
【００７５】
次に、本発明の第２の実施例としての放送コンテンツ再生装置１０の動作を、図９および図１０を用いて説明する。図９および図１０において、第１の実施例における図５および図６と共通する処理には、同一符号を付して説明は省略する。
【００７６】
図９と図５の差異は、ステップＳ１０２において途中停止フラグが付与された後に、分割コンテンツ生成処理（ステップＳ１２３）を行う点にある。また、図１０においては、ステップＳ１２１における転送対象の放送コンテンツ特定後、制御部１００は転送対象の放送コンテンツが分割コンテンツであるか否かを判断する（ステップＳ２００）。
【００７７】
ステップＳ２００において、転送対象の放送コンテンツが分割コンテンツではないと判断された場合は（ステップＳ２００：Ｎｏ）、その放送コンテンツは未視聴の放送コンテンツであるため、転送部２５０によって携帯端末３０へ放送コンテンツを転送し（ステップＳ１２５）、本処理を終了する。ステップＳ２００において、転送対象の放送コンテンツが分割コンテンツであると判断された場合は（ステップＳ２００：Ｙｅｓ）、転送部２５０によって分割コンテンツは携帯端末３０へ転送され（ステップＳ１２４）、本処理を終了する。
【００７８】
このような実施例においては、途中停止フラグの付与後に分割コンテンツを生成するため、第１の実施例において得られる効果に加えて、転送要求時には既に分割コンテンツが生成されており、分割コンテンツの生成を待つことなく分割コンテンツの転送を可能とする。
【００７９】
次に、本発明の第３の実施例としての放送コンテンツ再生装置１０の動作を、図１１から図１４を用いて説明する。第３の実施例は、分割コンテンツの生成をユーザが指定した転送要求時刻に基づき行う。
【００８０】
図１１は、第１の実施例や第２の実施例などにおいて、転送要求が行われた場合に、転送要求時刻を記録する場合のフローチャートである。図１１において、先ず、制御部１００は記録部１８０に記録されている放送コンテンツに対して、携帯端末３０への転送要求があるか否かを判断する（ステップＳ３００）。
【００８１】
ステップＳ３００において、転送要求がないと判断された場合は（ステップＳ３００：Ｎｏ）、ステップＳ３００の処理を再度実行する。ステップＳ３００において、転送要求があったと判断された場合は（ステップＳ３００：Ｙｅｓ）、制御部１００は、転送要求のあった時刻を記録する（ステップＳ３０１）。
【００８２】
ステップＳ３０１における転送要求時刻の記録は、記憶部１８０などに累積して記録されることにより、放送コンテンツ再生装置１０のユーザによる転送要求時刻の傾向を判断することができる。ここで記録される転送要求時刻は、例えば０７時２４分のように詳細な時刻であってもよく、０７時１５分台のように１５分毎の時間帯や、７時台のように１時間毎の時間帯として記録してもよい。
【００８３】
また、ステップＳ３０１における転送要求時刻の記録は、直近の１年や１ヶ月など所定期間のみ累積してもよい。さらには、放送コンテンツのジャンル情報と対応つけた累積であってもよい。
【００８４】
ステップＳ３０１において、転送要求のあった時刻の記録後、第１の実施例や第２の実施例同様に、携帯端末３０へ転送対象の放送コンテンツを転送する（ステップＳ３０２）。
【００８５】
次に、ステップＳ３０１において記録された転送要求時刻より分割コンテンツを生成可能な時刻を設定する処理を、図１２および図１３により説明する。図１２においては、ステップＳ３０１において記録された転送要求時刻に基づいて、転送要求の少ない時間帯を分割コンテンツ生成可能時刻として設定する（ステップＳ３１０）。
【００８６】
図１３は、累積された転送要求時刻の例を示した図であり、一例として１時間毎の転送要求時刻の累積となっている。また、最大値として転送回数を１５回としているが、転送回数の利用目的上、最大値を大きくする必要はないため、一例として１５回以上は一律１５回としている。
【００８７】
図１３においては、分割コンテンツを生成可能とする転送回数は、一例として２回以下と設定されている。従って、図１３においては、１時台から４時台および８時台が分割コンテンツ生成可能時間帯となる。
【００８８】
図１３において、分割コンテンツを生成可能とする時間帯であっても、その時間帯において分割コンテンツの生成と両立しない処理が行われているか、または処理の予約がされている場合は、分割コンテンツ生成可能時間としなくともよい。分割コンテンツの生成と両立しない処理の例としては、分割コンテンツの生成対象となる放送コンテンツの、光学式ディスクへの書き込み処理などである。
【００８９】
次に、ステップＳ３１０において設定された分割コンテンツ生成可能時刻を用いた分割コンテンツの生成処理について、図１４を用いて説明する。
【００９０】
図１４において、先ず分割コンテンツ生成部２４０は、現在時刻が分割コンテンツ生成可能時刻であるか否かを判断する（ステップＳ３２０）。ステップＳ３２０において、分割コンテンツ生成可能時刻ではないと判断された場合は（ステップＳ３２０：Ｎｏ）、ステップＳ３２０の処理を再度実行する。ステップＳ３２０において、分割コンテンツ生成可能時刻であると判断された場合は（ステップＳ３２０：Ｙｅｓ）、記憶部１８０に記憶されている放送コンテンツにおいて、途中停止フラグが付与されている放送コンテンツの有無を確認する（ステップＳ３２１）。
【００９１】
ステップＳ３２１において、途中停止フラグが付与された放送コンテンツが無いと判断された場合は（ステップＳ３２１：Ｎｏ）、分割コンテンツを生成する対象となる放送コンテンツが無いため、本処理を終了する。
【００９２】
ステップＳ３２１において、途中停止フラグが付与された放送コンテンツがあると判断された場合は（ステップＳ３２１：Ｙｅｓ）、分割コンテンツを生成し（ステップＳ３２２）、本処理を終了する。
【００９３】
このような実施例においては、分割コンテンツの生成を、ユーザが転送処理を行わない時間帯にまとめて行うため、第１の実施例において得られる効果に加えて、転送要求時には既に分割コンテンツが生成されており、分割コンテンツの生成を待つことなく分割コンテンツの転送を可能とする。
【００９４】
本発明の実施の形態は、その要旨を逸脱しない限り、様々に変更可能である。例えば、途中停止フラグの付与は、途中停止処理を行った位置において付与することに加えて、例えば途中停止処理を行った位置の所定時間前に付与してもよい。具体的には、途中停止処理を行った位置の１分から３分程度前である。これにより、ユーザは途中停止処理を行った直前の数分間の視聴に続けて未試聴区間を再生することができ、途中停止処理前のコンテンツ内容の一部に引き続き未試聴区間の視聴を行うことができる。
【００９５】
また、分割コンテンツ生成可能時刻は、図１４において説明した例に加えてまたは代えて、ユーザが放送コンテンツの再生を行った履歴の少ない時間帯や、放送コンテンツ再生装置の電源がＯＦＦとなっていることの多い時間帯などであってもよい。
【００９６】
また、本発明に係る放送コンテンツ再生装置に加えて、本発明に係る処理を実行するためのプログラムとして供給されてもよく、このプログラムは、放送コンテンツ再生装置やコンピュータ等にインストールされることにより実行される。
【符号の説明】
【００９７】
１０：放送コンテンツ再生装置、１００：制御部、１１０：チューナ部、１２０：復調部、１３０：通信部、１４０：操作部、１５０：信号処理部、１６０：入出力部、１８０：記憶部、２００：放送受信部、２１０：記録部（第一の記録部）、２２０：コンテンツ再生部（第一のコンテンツ再生部）、２３０：停止操作部、２４０：分割コンテンツ生成部、２５０：転送部、３０：携帯端末、３００：受信部、３１０：記録部（第二の記録部）、３２０：コンテンツ再生部（第二のコンテンツ再生部）、４０：放送コンテンツ再生システム
【図１】
2013123082.tif 000003
【図２】
2013123082.tif 000004
【図３】
2013123082.tif 000005
【図４】
2013123082.tif 000006
【図５】
2013123082.tif 000007
【図６】
2013123082.tif 000008
【図７】
2013123082.tif 000009
【図８】
2013123082.tif 000010
【図９】
2013123082.tif 000011
【図１０】
2013123082.tif 000012
【図１１】
2013123082.tif 000013
【図１２】
2013123082.tif 000014
【図１３】
2013123082.tif 000015
【図１４】
2013123082.tif 000016